(57)【特許請求の範囲】
【請求項１】
撮影光学系へ入射する光を遮る閉状態と、前記撮影光学系へ光が入射する開状態とを有する第１のバリアを備える撮影部と、
投影光学系によって投影される投影光を遮る閉状態と、前記投影光学系によって投影光を投影する開状態とを有し、手動操作によって前記閉状態と前記開状態の間を移動可能な第２のバリアを備える投影部と、
手動操作によって前記第２のバリアが閉状態から開状態へ変化すると、前記第１のバリアを開状態から閉状態へ変化させるバリア駆動部と、
を備え、
手動操作によって前記第２のバリアが閉状態から開状態へ変化すると、前記投影部が起動するプロジェクタ付きデジタルカメラ。
【請求項２】
請求項１に記載のプロジェクタ付きデジタルカメラにおいて、
前記投影部の起動中に手動操作によって前記第２のバリアが開状態から閉状態へ変化すると、前記バリア駆動部は前記第１のバリアを開状態にし、前記撮影部が起動するプロジェクタ付きデジタルカメラ。
【請求項３】
撮影光学系へ入射する光を遮る閉状態と、前記撮影光学系へ光が入射する開状態とを有する第１のバリアを備える撮影部と、
投影光学系によって投影される投影光を遮る閉状態と、前記投影光学系によって投影光を投影する開状態とを有する第２のバリアを備える投影部と、
前記第２のバリアが閉状態から開状態へ変化すると、前記第１のバリアを開状態から閉状態へ変化させるバリア駆動部と、
を備え、
前記第２のバリアが閉状態から開状態へ変化すると、前記投影部が起動し、
前記投影部の起動中に電源スイッチがオフ操作されると前記投影部の投影動作を終了させ、前記電源スイッチが再度オン操作され、かつ前記第２のバリアが閉状態に変化すると前記撮影部を起動するプロジェクタ付きデジタルカメラ。
【請求項４】
撮影光学系へ入射する光を遮る閉状態と、前記撮影光学系へ光が入射する開状態とを有する第１のバリアを備える撮影部と、
投影光学系によって投影される投影光を遮る閉状態と、前記投影光学系によって投影光を投影する開状態とを有する第２のバリアを備える投影部と、
前記第２のバリアが閉状態から開状態へ変化すると、前記第１のバリアを開状態から閉状態へ変化させるバリア駆動部と、
を備え、
前記投影部の起動中に電源スイッチがオフ操作されると前記投影部の投影動作を終了させ、前記電源スイッチが再度オン操作されると前記第２のバリアを閉状態にするように表示部に警告表示し、前記電源スイッチがオン状態で前記第２のバリアが閉状態へ変化すると前記第１のバリアを開状態に変化させるとともに前記撮影部を起動させ、その後前記第２のバリアが閉状態から再度開状態へ変化すると前記投影部を起動するプロジェクタ付きデジタルカメラ。
【発明の詳細な説明】
【技術分野】
【０００１】
本発明は、プロジェクタ付きデジタルカメラに関する。
【背景技術】
【０００２】
従来のプロジェクタ付きカメラでは、電源スイッチをＯＮとして撮影モードを起動し、プロジェクタの投影レンズを覆うスライドカバーを手動で開放すると、撮影モードがプロジェクタモードに切り換えられ、撮影モードが終了する（例えば、特許文献１参照）。
【先行技術文献】
【特許文献】
【０００３】
【特許文献１】特開２０１０−１８１７５８号公報
【発明の概要】
【発明が解決しようとする課題】
【０００４】
ところが、特許文献１のカメラにおいては、スライドカバーを開放したときに、撮影モードが終了したのか否かを一見して判別できないという問題があった。
【課題を解決するための手段】
【０００５】
請求項１の発明によるプロジェクタ付きデジタルカメラは、撮影光学系へ入射する光を遮る閉状態と、撮影光学系へ光が入射する開状態とを有する第１のバリアを備える撮影部と、投影光学系によって投影される投影光を遮る閉状態と、投影光学系によって投影光を投影する開状態とを有し、手動操作によって閉状態と開状態の間を移動可能な第２のバリアを備える投影部と、手動操作によって第２のバリアが閉状態から開状態へ変化すると、第１のバリアを開状態から閉状態へ変化させるバリア駆動部と、を備え、手動操作によって第２のバリアが閉状態から開状態へ変化すると、投影部が起動する。
請求項３の発明によるプロジェクタ付きデジタルカメラは、撮影光学系へ入射する光を遮る閉状態と、撮影光学系へ光が入射する開状態とを有する第１のバリアを備える撮影部と、投影光学系によって投影される投影光を遮る閉状態と、投影光学系によって投影光を投影する開状態とを有する第２のバリアを備える投影部と、第２のバリアが閉状態から開状態へ変化すると、第１のバリアを開状態から閉状態へ変化させるバリア駆動部と、を備え、第２のバリアが閉状態から開状態へ変化すると、投影部が起動し、投影部の起動中に電源スイッチがオフ操作されると投影部の投影動作を終了させ、電源スイッチが再度オン操作され、かつ第２のバリアが閉状態に変化すると撮影部を起動する。
請求項４の発明によるプロジェクタ付きデジタルカメラは、撮影光学系へ入射する光を遮る閉状態と、撮影光学系へ光が入射する開状態とを有する第１のバリアを備える撮影部と、投影光学系によって投影される投影光を遮る閉状態と、投影光学系によって投影光を投影する開状態とを有する第２のバリアを備える投影部と、第２のバリアが閉状態から開状態へ変化すると、第１のバリアを開状態から閉状態へ変化させるバリア駆動部と、を備え、投影部の起動中に電源スイッチがオフ操作されると投影部の投影動作を終了させ、電源スイッチが再度オン操作されると第２のバリアを閉状態にするように表示部に警告表示し、電源スイッチがオン状態で第２のバリアが閉状態へ変化すると第１のバリアを開状態に変化させるとともに撮影部を起動させ、その後第２のバリアが閉状態から再度開状態へ変化すると投影部を起動する。
【発明の効果】
【０００６】
本発明のプロジェクタ付きデジタルカメラによれば、手動操作により第２のバリアを開位置に移動させると、投影手段を起動すると共に、バリア駆動手段によって第１のバリアを閉位置に移動させるので、撮影動作（撮影モード）が終了したことを一見しただけで判別できる。
【図面の簡単な説明】
【０００７】
【図１】本発明の実施の形態に係るデジタルカメラの外観を模式的に示す正面図（撮影動作時）である。
【図２】本発明の実施の形態に係るデジタルカメラの外観を模式的に示す正面図（投影動作時）である。
【図３】本発明の実施の形態に係るデジタルカメラの外観を模式的に示す後面図である。
【図４】本発明の実施の形態に係るデジタルカメラの構成を説明するブロック図である。
【図５】プロジェクタ部の主要構成を説明する図である。
【図６】ＣＰＵが実行するプログラムによる処理の流れを示すフローチャートである。
【発明を実施するための形態】
【０００８】
以下、本発明の実施の形態によるプロジェクタ付きデジタルカメラ（以下、デジタルカメラと称する）の構成及び作用について、図面を参照しながら説明する。
図１、図２に示されるように、デジタルカメラ１００は、カメラ本体正面に、レンズバリア１１、撮影レンズ１２、プロジェクタバリア２１（以下、ＰＪバリア２１）、保護ガラス２２が設けられ、カメラ本体上面に、電源スイッチ３１、レリーズボタン３２が設けられている。
【０００９】
レンズバリア１１は、後述するレンズバリア駆動部によって、撮影レンズ１２の前面を覆う閉位置と撮影レンズ１２の前面を開放する開位置との間を移動可能である。従って、図１に示すようにデジタルカメラ１００が撮影動作時にあるときは、レンズバリア１１は撮影レンズ１２の前面を開放する開位置にある。
【００１０】
ＰＪバリア２１は、手動により、図中上下方向にスライドできるように構成された板状部材であり、保護ガラス２２を覆う閉位置と保護ガラス２２の前面を開放する開位置との間を移動可能である。従って、図２に示すようにデジタルカメラ１００が投影動作時にあるときは、ＰＪバリア２１が保護ガラス２２を開放する開位置にある。
【００１１】
図３は、デジタルカメラ１００を後方から見た図であり、デジタルカメラ１００の背面には、液晶モニタ１９、メニューキー３３、マルチセレクタ３４が配設されている。メニューキー３３は、撮影用または投影用のメニュー項目の表示／非表示を切り替える部材であり、発光部３３０によって照明される。
マルチセレクタ３４は、上下左右の４つのキー操作により目的とするメニュー項目にカーソルを合わせるためのドーナツ状の選択キー３５と、カーソルを合わせたメニュー項目の機能を設定する決定キー３６とを含む。選択キー３５には４つのキー操作を示す４つのマーク３５ａが設けられ、４つのマーク３５ａはそれぞれ、４つの発光部３５０によって照明される。決定キー３６は、発光部３６０によって照明される。
【００１２】
発光部３３０、３５０、３６０はそれぞれ、メニューキー３３、選択キー３５のマーク３５ａ、決定キー３６を照明できる位置であれば、メニューキー３３、選択キー３５、決定キー３６の中に設けてもよいし、その近傍に設けてもよい。なお、発光部３３０、３５０、３６０としては、ＬＥＤを直接配置してもよいし、光ファイバの光射出面を配置する構成としてもよい。
【００１３】
図４は、デジタルカメラ１００の概略構成を示すブロック図である。デジタルカメラ１００は、撮影部１０と、プロジェクタ部２０と、ＣＰＵ１６と、メモリ１７と、カードスロット１８と、液晶モニタ１９と、操作部３０とを備える。
【００１４】
ＣＰＵ１６は、撮影部１０の撮影制御回路１５、プロジェクタ部２０のＰＪ制御回路２９、メモリ１７、カードスロット１８、液晶モニタ１９及び操作部３０と電気的に接続されている。ＣＰＵ１６は、制御プログラムに基づいて、デジタルカメラ１００を構成する各部から入力される信号を用いて所定の演算を行い、また、撮影制御回路１５及びＰＪ制御回路２９などに対して制御信号を送出することにより撮影動作及び投影動作の制御を行う。
【００１５】
メモリ１７は、ＣＰＵ１６の作業用メモリとして使用される。カードスロット１８は、メモリカードが挿脱可能に構成され、メモリカードを用いて画像データを書き込み、保存、読み出しが可能である。液晶モニタ１９は、画像やテキストなどの情報を表示する。
操作部３０は、電源スイッチ３１、レリーズボタン３２、メニューキー３３、マルチセレクタ３４などの操作部材を含む。
【００１６】
撮影部１０は、レンズバリア１１と、撮影レンズ１２と、撮像素子１３と、レンズバリア駆動部１４と、撮影制御回路１５とを備える。撮影制御回路１５は、ＣＰＵ１６からの指令によりレンズバリア駆動部１４に指令信号を送出し、レンズバリア駆動部１４は、レンズバリア１１を撮影レンズ１２の前面を覆う閉位置と撮影レンズ１２の前面を開放する開位置との間で駆動する。また、撮影制御回路１５は、撮影レンズ１２および撮像素子１３の駆動制御を行う。撮影レンズ１２は、撮像素子１３上に被写体像を結像させ、撮影開始指令に応じて撮影された被写体画像データは、一時的にメモリ１７に保存され、ホワイトバランス調整やガンマ補正などの画像処理が施された後にメモリカードに記録される。
【００１７】
プロジェクタ部２０は、ＰＪバリア２１、保護ガラス２２、ＬＥＤ光源を含む照明部２３、反射型表示素子２７、投影レンズ２８、ＰＪ制御回路２９とを備える。ＰＪ制御回路２９は、ＣＰＵ１６から送出される投影指令に応じて照明部２３のＬＥＤに供給する駆動電流を制御し、照明部２３は、反射型表示素子２７を照明する。また、ＰＪ制御回路２９は、ＣＰＵ１６から送出される画像データに対応する駆動信号を反射型表示素子２７へ出力し、反射型表示素子２７を駆動する。反射型表示素子２７は、例えば、デジタルミラーデバイス（ＤＭＤ）であり、多数の微小ミラーを個々にＯＮ／ＯＦＦ制御することによって生成する反射光によって画像データに基づく光像を形成する。
【００１８】
ここで、図５を参照しながら、プロジェクタ部２０の構成と機能を詳細に説明する。照明部２３は、赤色ＬＥＤ２３１ａ、緑色ＬＥＤ２３１ｂ、青色ＬＥＤ２３１ｃの３つの光源、集光レンズ２３２ａ、２３２ｂ、２３２ｃ、合成プリズム２３３および全反射プリズム２３４を備えている。
【００１９】
赤色ＬＥＤ２３１ａ、緑色ＬＥＤ２３１ｂ、青色ＬＥＤ２３１ｃからの発光光は、それぞれ集光レンズ２３２ａ、２３２ｂ、２３２ｃで集光され、合成プリズム２３３へ入射して３色が合成された後に全反射プリズム２３４へ入射し、全反射プリズム２３４で全反射される。この全反射光は、保護カバー２６を通過してデジタルミラーデバイス２７（ＤＭＤ２７）へ入射し、ＤＭＤ２７で変調され、光像を形成する。ＤＭＤ２７で変調された光は、保護カバー２６、全反射プリズム２３４を順次通過し、投影レンズ２８に入射し、投影レンズ２８によって、保護ガラス２２を透過して投影光として外部に投影される。すなわち、投影レンズ２８は、ＤＭＤ２７で形成された光像を保護ガラス２２を介してスクリーンなどに向けて投影する。
なお、図５において、保護ガラス２２と投影レンズ２８との間に光路を直角に曲げるミラーを設けて、投影レンズ２８からの光を曲げて投影する光学系が望ましい。
【００２０】
保護ガラス２２は、裏面側、すなわち投影レンズ２８側に、紫外光および赤外光をカットする性質を有する波長選択薄膜が形成されている。この波長選択薄膜は、例えば、波長３９０ｎｍ以下の紫外光と８００ｎｍ以上の赤外光をカットする。なお、波長選択薄膜としては、赤外光はカットせず、紫外光のみをカットするものであってもよい。
また、保護ガラス２２は、表面側、すなわちカメラ正面に露出する側に、透明な硬質薄膜が形成されている。この硬質薄膜は、例えばダイヤモンドライクカーボン（ＤＬＣ）であり、保護ガラス２２の表面に傷がつき難くする効果がある。
【００２１】
次に、図６のフローチャートを参照しながら、本実施の形態によるデジタルカメラ１００の作用について、以下説明する。図６のフローチャートで示される処理の流れは、ＣＰＵ１６による制御プログラムに基づいて実行される。撮影制御回路１５は、ＣＰＵ１６からの制御信号により、レンズバリア１１、撮影レンズ１２、撮像素子１３、レンズバリア駆動部１４などの撮影部１０の各部を制御する。ＰＪ制御回路２９は、ＣＰＵ１６からの制御信号により、照明部２３のＬＥＤ、反射型表示素子２７（ＤＭＤ２７）、投影レンズ２８などのプロジェクタ部２０の各部を制御する。
【００２２】
ステップＳ１１において、電源スイッチ３１が押下されるとメイン電源がＯＮとなる。ステップＳ１２において、電源スイッチ３１の押下に応じて、すなわちメイン電源のＯＮに応じて、レンズバリア１１がレンズバリア駆動部１４により撮影レンズ１２の前面を開放する開位置に駆動されるとともに、撮影部１０による撮影モード、すなわち撮影動作が起動する。なお、レンズバリア１１は、メイン電源がＯＦＦ状態では撮影レンズ１２の前面を覆う位置にある。
【００２３】
ステップＳ１３で撮影動作が行われ、被写体のスルー画像が液晶モニタ１９に表示される。ステップＳ１４でメイン電源がＯＦＦか否かを判定する。メイン電源がＯＦＦの場合は、ステップＳ１５へ移行し、レンズバリア１１が閉位置に駆動され、撮影動作を終了する。ステップＳ１４で、メイン電源がＯＮのままであれば、ステップＳ１３へ移行し、撮影動作を継続する。
【００２４】
ステップＳ１６では、メイン電源がＯＮ状態で、ＰＪバリア２１が保護ガラス２２の前面を開放する開位置にあるか否かを判定する。否定判定であれば、ステップＳ１３へ移行し、撮影動作を継続する。他方、ユーザーがＰＪバリア２１を手動で押下操作してＰＪバリア２１を開位置にすると、肯定判定されてステップＳ１７へ移行し、プロジェクタ部２０による投影動作が起動するとともに、レンズバリア１１がレンズバリア駆動部１４により撮影レンズ１２の前面を覆う閉位置に駆動され、撮影動作は停止する。
【００２５】
ステップＳ１８で投影動作が行われる。この投影動作中、ステップＳ１９で、ＰＪバリア２１が手動操作によって閉位置に移動したか否かを判定し、ＰＪバリア２１が開位置のままであれば、ステップＳ１９を否定判定し、ステップＳ２４で、メイン電源がＯＦＦか否かを判定する。ステップＳ２４で、メイン電源がＯＮのままであれば、ステップＳ１８へ移行し、投影動作を継続する。
【００２６】
ステップＳ１９で、ＰＪバリア２１が手動操作によって閉位置に移動して肯定判定された場合は、ステップＳ２０へ移行し、プロジェクタ部２０による投影動作を停止するとともに、レンズバリア１１がレンズバリア駆動部１４により開位置に駆動され、撮影動作が起動する。
【００２７】
ステップＳ２１で、撮影動作が行われ、被写体のスルー画像が液晶モニタ１９に表示される。
ステップＳ２２で、メイン電源がＯＦＦか否かを判定する。メイン電源がＯＦＦの場合は、ステップＳ２３へ移行し、レンズバリア１１が閉位置に駆動され、撮影動作を終了する。ステップＳ２２で、メイン電源がＯＮのままであれば、ステップＳ２１へ移行し、撮影動作を継続する。
【００２８】
次に、ステップＳ２４で、メイン電源がＯＦＦと判定された場合の動作について説明する。以下の動作は、ＰＪバリア２１が開位置のままで、メイン電源をＯＦＦとし、再びメイン電源をＯＮとした場合の処理の一例を示すものである。
【００２９】
ステップＳ２４で、メイン電源がＯＦＦと判定された場合は、ステップＳ２５へ移行し、投影動作を終了するが、ＰＪバリア２１は開位置のままである。ステップＳ２６で、ユーザーが再びメイン電源をＯＮとした場合は、ステップＳ２７へ移行し、液晶モニタ１９に例えば、「ＰＪバリアを閉じてください」の警告文が表示される。この段階では、譬え、ＰＪバリア２１は開位置のままであっても投影動作は行われない。これは、突然に照射される投影光からユーザーの眼を守るためである。
【００３０】
ステップＳ２８で、ＰＪバリア２１が手動操作によって閉位置に移動したか否かを判定する。ＰＪバリア２１が開位置のままで移動しなければ、ステップＳ２８を否定判定してステップＳ２７へ戻り、上記の警告文或いは別の警告を液晶モニタ１９に表示する。
ステップＳ２８で、ユーザーが警告に応じてＰＪバリア２１を閉位置に移動すると、ステップＳ２９で、レンズバリア１１がレンズバリア駆動部１４により開位置に駆動され、撮影動作が起動する。ＰＪバリア２１を閉位置に移動しないと撮影動作を起動しないのは、撮影動作を起動すると、撮影中にプロジェクタ部２０へ太陽の直射光などの強い光が入射して表示素子２７が損傷するのを防ぐためである。
【００３１】
ステップＳ３０で撮影動作が行われ、被写体のスルー画像が液晶モニタ１９に表示される。ステップＳ３１で、メイン電源がＯＦＦか否かを判定する。メイン電源がＯＦＦの場合は、ステップＳ３２へ移行し、レンズバリア１１が閉位置に駆動され、撮影動作を終了する。ステップＳ３１で、メイン電源がＯＮのままであると判定されると、ステップＳ３０へ移行し、撮影動作を継続する。勿論、撮影動作中にＰＪバリア２１が手動操作によって開位置に移動されると、投影動作が起動され、かつ、レンズバリア１１が閉位置に駆動され、撮影動作が停止する。すなわち、ステップＳ１６とステップＳ１７の動作に移行する。
【００３２】
次に、撮影動作のメニュー表示と投影動作のメニュー表示との切り替えについて説明する。
撮影動作中に、デジタルカメラ１００の背面に配設されているメニューキー３３を操作すると、液晶モニタ１９に撮影用メニューが表示される。マルチセレクタ３４の選択キー３５を操作して、表示されたメニュー項目の１つを選択し、決定キー３６を押し下げてその選択されたメニュー項目を決定する。
【００３３】
他方、この撮影動作中に、ＰＪバリア２１を手動で開位置に移動させると、投影動作が開始され、メニューキー３３は発光部３３０によって照明され、マルチセレクタ３４の選択キー３５の４つのマークはそれぞれ発光部３５０によって照明され、決定キー３６は発光部３６０によって照明される。この状態で、メニューキー３３を操作すると、スクリーンなどに投影用メニューが投影される。照明されている選択キー３５を操作して、投影されたメニュー項目の１つを選択し、決定キー３６を押し下げてその選択されたメニュー項目を決定する。
【００３４】
例えば、撮影動作中は、メニューキー３３の操作で撮影用メニューの１つである「シーンモード」の「風景」、「夜景」、「人物」などのメニュー項目を液晶モニタ１９上に表示させ、マルチセレクタ３４の操作でこれらのメニュー項目の１つを選択決定する。一方、投影動作中は、メニューキー３３の操作で投影用メニューの１つである「投影画質」の「ファイン」、「スタンダード」などのメニュー項目を投影画像としてスクリーンなどに投影させ、スクリーン上で、マルチセレクタ３４の操作によりこれらのメニュー項目の１つを選択決定する。すなわち、メニューキー３３およびマルチセレクタ３４は、撮影動作にも投影動作にも共通に使用されるものである。
【００３５】
通常、投影動作は、比較的暗い環境下で行われるので、ユーザーにとってメニューキー３３やマルチセレクタ３４の選択キー３５および決定キー３６の所在が認識し難いことがある。このような場合に、図３に示すように、各々のキーをそれぞれ照明する発光部を設けることで、キーが見難い薄暗い環境下でもキーの所在を容易に認識できる。
【００３６】
本実施の形態のデジタルカメラ１００は、次の作用効果を奏する。
（１）撮影動作中に、手動操作によりＰＪバリア２１を開位置に移動させると、レンズバリア駆動部１４によってレンズバリア１１を、撮影レンズ１２を覆う閉位置に移動させるので、撮影動作が終了したことを一見して判別できる。
（２）図６のステップＳ２４で、ＰＪバリア２１が開位置にあり、投影光学系が露出したままでメイン電源がＯＦＦされた場合に、ユーザーが露出した投影光学系を直視した状態で、誤って再びメイン電源をＯＮとした場合であっても、直ちに投影動作が起動しないので、ユーザーの眼に対する安全性が高い。また、再びメイン電源をＯＮとした場合に、液晶モニタ１９に「ＰＪバリアを閉じてください」との警告文を表示してユーザーに注意を促すことも安全性確保の１つである。
（３）プロジェクタ部２０に保護ガラス２２を設けたので、プロジェクタ部２０内部に塵埃などが侵入するのを防止することができる。また、ＰＪバリア２１が開位置にあり、メイン電源をＯＦＦして、カメラを屋外で上向きに放置した場合には、太陽光が投影レンズ２８を介して反射型表示素子２７へ入射する恐れがあるが、保護ガラス２２の裏面側に、紫外光および赤外光をカットする性質を有する波長選択薄膜を形成したので、投影レンズ２８を介して反射型表示素子２７へ紫外光が入射して反射型表示素子２７を損傷するのを阻止することができる。また、保護ガラス２２の表面側に、透明な硬質薄膜を形成したので、保護ガラス２２の傷つき防止を図ることができる。
（４）メニューキー３３およびマルチセレクタ３４を、撮影動作にも投影動作にも共通に使用することができるので、撮影動作、投影動作にそれぞれ専用の操作部材を設ける必要がない。また、投影動作時に、メニューキー３３およびマルチセレクタ３４の各々のキーを発光部により照明するので、正確なキー操作が可能である。
【００３７】
以下、本実施の形態の変形例を説明する。
プロジェクタ部２０による投影光の光強度については、一般に投影開始から終了まで一定であるが、投影開始時には照明部２３のＬＥＤの発光強度を低くし、徐々にＬＥＤの発光強度を上昇させて所定の発光強度に至らせるように制御してもよい。
本実施の形態では、ＰＪバリア２１が開位置のままでメイン電源をＯＦＦとし、再びメイン電源をＯＮとした場合に、液晶モニタ１９に「ＰＪバリアを閉じてください」との警告文を表示するが、勿論この警告文に限らず他の文でもよいし、また、警告文の代わりに図形を表示してもよいし、液晶モニタ１９に警告を表示する代わりに、音声で警告してもよい。
本発明は、その特徴を損なわない限り、以上説明した実施の形態に何ら限定されるものではない。
【符号の説明】
【００３８】
１０：撮影部                      １１：レンズバリア
１２：撮影レンズ                  １４：レンズバリア駆動部
１５：撮影制御回路                １６：ＣＰＵ
１９：液晶モニタ                  ２０：プロジェクタ部
２１：ＰＪバリア                  ２２：保護ガラス
２３：照明部                      ２７：反射型表示素子
２８：投影レンズ                  ２９：ＰＪ制御回路
３０：操作部                      ３３：メニューキー
３４：マルチセレクタ              １００：デジタルカメラ
３３０、３５０、３６０：発光部
【図１】
0005879775.tif 000002
【図２】
0005879775.tif 000003
【図３】
0005879775.tif 000004
【図４】
0005879775.tif 000005
【図５】
0005879775.tif 000006
【図６】
0005879775.tif 000007